(57)【要約】【課題】本発明は、梯子から外れ難く、しかも装脱着の容易な梯子転倒防止具を提供する。【解決手段】本発明に係る梯子転倒防止具１は、構造物の水平部に引っ掛け可能なアーム部４と、アーム部４の一端に固定されると共に、梯子２の踏桟３を包囲する閉鎖形状と踏桟３の挿入を可能にする開放形状とになるように開閉自在なクランプ部６と、を備えた、クランプ部６は、一端がアーム部４の端部に固定された円弧状の第１のクランプ片８と、第１のクランプ片８の他端で、ヒンジ部１０によって一端が連結された円弧状の第２のクランプ片９と、第２のクランプ片９の他端とアーム部４とを着脱自在に連結する締結手段１１と、を有する構成である。【選択図】図１
2011032642.tif 000002
【特許請求の範囲】
【請求項１】
梯子の踏桟に装着される梯子転倒防止具において、
構造物の水平部に引っ掛け可能なアーム部と、
前記アーム部の一端に固定されると共に、前記梯子の前記踏桟を包囲する閉鎖形状と前記踏桟の挿入を可能にする開放形状とになるように開閉自在なクランプ部と、を備えたことを特徴とする梯子転倒防止具。
【請求項２】
前記クランプ部は、
一端が前記アーム部の端部に固定された円弧状の第１のクランプ片と、
前記第１のクランプ片の他端で、ヒンジ部によって一端が連結された円弧状の第２のクランプ片と、
前記第２のクランプ片の他端と前記アーム部とを着脱自在に連結する締結手段と、を有したことを特徴とする請求項１記載の梯子転倒防止具。
【請求項３】
前記締結手段は、
前記第２のクランプ片を貫通するボルト部と、
前記ボルト部に螺着される蝶ナット部と、を有したことを特徴とする請求項２記載の梯子転倒防止具。
【請求項４】
前記クランプ部の内面側には、滑り止め部が設けられていることを特徴とする請求項１〜３の何れか一項に記載の梯子転倒防止具。
【請求項５】
前記アーム部には、前記アーム部の端部から前記アーム部の長手方向に挿入可能なチューブ形状をなす保護部材が装着されていることを特徴とする請求項１〜４の何れか一項に記載の梯子転倒防止具。
【請求項６】
請求項１〜５の何れか一項に記載された梯子転倒防止具を備えたことを特徴とする梯子。
【請求項７】
請求項１〜４の何れか一項に記載された梯子転倒防止具のアーム部に対して、前記アーム部の端部から前記アーム部の長手方向に挿入可能であることを特徴とする保護部材。
【請求項８】
弾性材料からなり、チューブ状に形成されていることを特徴とする請求項７記載の保護部材。
【発明の詳細な説明】
【技術分野】
【０００１】
本発明は、主に低層住宅建物等の構築物の施工作業において、構築物に立掛けて使用される梯子に対して着脱可能な梯子転倒防止具、この梯子転倒防止具を備えた梯子、この梯子転倒防止具に適用される保護部材に関する。
【背景技術】
【０００２】
低層住宅等の建物の外壁の保守・点検・改修等のメンテナンスにおいて、作業者は、梯子（一連、二連、三連梯子等）を外壁に傾斜姿勢にて立て掛けた状態で昇降する。梯子はその足元を接地させ、さらに梯子の上部は、屋根先端、外壁、ベランダの手摺りで支持されて据え付けられるが、建物と梯子上部との接触点（支持点）ついては、立掛けた梯子の足元が建物から離れる方向に動くと、梯子は、支持点から下方向に滑り落ちたり、また、立掛けた梯子の足元が建物に沿って左右方向に動くと、梯子は、支持点から左右に横滑りしたりする。このことが作業者の落下事故の原因となっており、作業安全上、問題であった。
【０００３】
特許文献１には、左右の縦枠の間で該縦枠と直交する足掛桟が多段状に設けられている梯子に対して着脱自在なアタッチメントが開示されている。この梯子用アタッチメントは、梯子の上下に沿って延在する基部フレームを備え、この基部フレームの上端には、ベランダの手摺りに引っ掛け可能なＵ字状の掛止フックが設けられ、基部フレームの下端には、下段側(例えば上から３段目)の足掛桟に引っ掛け可能なＵ字フックが設けられている。更に、基部フレームの途中には、上段側(例えば上から２段目)の足掛桟に引っ掛け可能な逆Ｕ字フックが、基部フレームの長手方向に対して位置調整可能なように、ネジによって基部フレームに取り付けられている。
【０００４】
このアタッチメントを利用すれば、建物に対して梯子の上部支持点を確実に固定することができる。すなわち、梯子の２本の足掛桟を、基部フレームの下端のＵ字フックと位置調整自在な逆Ｕ字フックとで上下から挟むようにして、アタッチメントが梯子にしっかりと固定され、アタッチメントは、梯子に一旦固定されれば、アタッチメント自体が建物に対する梯子の上部支持点として働き、かつ梯子の外れや横滑りを防止することができる。
【先行技術文献】
【特許文献】
【０００５】
【特許文献１】特開平１０−８８９５０号公報
【発明の概要】
【発明が解決しようとする課題】
【０００６】
しかしながら、前述したアタッチメントは、ネジによって逆Ｕ字フックが梯子にしっかりと固定させられているが、作業者の昇降荷重などの影響でネジが一旦緩むと、逆Ｕ字フックは足掛桟から外れ易く、このことは、アタッチメントの外れに直結してしまうので、作業中にアタッチメントの安全管理が必要になる。さらに、アタッチメントは、梯子の２本の足掛桟を利用して固定されるので現場での装脱着の作業効率が悪い。
【０００７】
本発明は、梯子から外れ難く、しかも装脱着の容易な梯子転倒防止具、この梯子転倒防止具を備えた梯子、この梯子転倒防止具に適用される保護部材を提供することを目的とする。
【課題を解決するための手段】
【０００８】
本発明は、梯子の踏桟に装着される梯子転倒防止具において、
構造物の水平部に引っ掛け可能なアーム部と、
アーム部の一端に固定されると共に、梯子の踏桟を包囲する閉鎖形状と踏桟の挿入を可能にする開放形状とになるように開閉自在なクランプ部と、を備えたことを特徴とする。
【０００９】
この梯子転倒防止具においては、梯子の踏桟に装着された状態でクランプ部が閉鎖形状になっているので、梯子の踏桟からクランプ部が外れ難く、これによって、梯子の転倒や横滑りを確実に防止することができる。しかも、クランプ部が閉鎖形状ゆえに、踏桟を中心としたアーム部の回動が許容され、これにより、梯子の足元が動いて、アーム部が回動してしまった場合でも、ベランダの手摺りなどから梯子転倒防止具が外れ難い。また、この梯子転倒防止具は、梯子の補助具として機能するので、作業者の昇降荷重などの大きな荷重を負担することはない。更に、開放状態のクランプ部は、１本の踏桟に装着されるだけなので、現場での装脱着の作業効率が良い。そして、梯子が立て掛けられる例えばベランダの手摺りは、ベランダから出ていたり、引っ込んでいたりして、現場において様々である。そこで、クランプ部は、１本の踏桟に装着されているだけなので、アーム部は踏桟を中心として回動させることができる。例えば、梯子転倒防止具の使用例として、先ず、踏桟に対してクランプ部を緩く圧着させ、アーム部を手摺りに引っ掛けた状態で、梯子転倒防止具のアーム部の角度調整回動を行う。その後、梯子が手摺りにしっかりと立て掛けられていることを確認し、踏桟に対してクランプ部をしっかり圧着させて、梯子転倒防止具を梯子にしっかりと固定させる。
【００１０】
また、クランプ部は、一端がアーム部の端部に固定された円弧状の第１のクランプ片と、第１のクランプ片の他端で、ヒンジ部によって一端が連結された円弧状の第２のクランプ片と、第２のクランプ片の他端とアーム部とを着脱自在に連結する締結手段と、を有すると好適である。
ヒンジ部を介して第１のクランプ片と第２のクランプ片とが連結されているので、第１のクランプ片と第２のクランプ片とを蝶の羽根のように開くことができ、これにより、踏桟をクランプ部内に容易に挿入させることができ、現場における梯子転倒防止具の装脱着の作業効率を良好にしている。さらに、第１のクランプ片と第２のクランプ片とで円形を形成するので、１本の踏桟を中心とした梯子転倒防止具のアーム部の角度調整回動を現場の状況に応じて容易に行うことができる。
【００１１】
また、締結手段は、第２のクランプ片を貫通するボルト部と、ボルト部に螺着される蝶ナット部と、を有すると好適である。
このように蝶ナット部は、指により簡単にボルト部から外すことができるので、作業性が良く、しかも、蝶ナット部をボルト部から外すだけで、第１のクランプ片と第２のクランプ片とを蝶の羽根のように開くことができる。さらに、蝶ナット部を締めたり緩めたりすることで、梯子転倒防止具のアーム部の角度調整回動を現場の状況に応じて容易に行うことができる。
【００１２】
また、クランプ部の内面側には、滑り止め部が設けられていると好適である。
クランプ部内に挿通された踏桟に滑り止め部が圧着されると、アーム部が踏桟を中心として回動し難くなり、梯子に対する梯子転倒防止具のガタ付き防止が確実に防止される。
【００１３】
また、アーム部には、アーム部の端部からアーム部の長手方向に挿入可能なチューブ形状をなす保護部材が装着されていると好適である。
このような構成を採用すると、ベランダの手摺りなどにアーム部が直接接触することがないので、保護部材によりベランダの手摺りなどのキズ付けを防止することができる。しかも、保護部材はチューブ形状をなしているので、保護部材が劣化した場合でも、保護部材をアーム部から引き抜いた後、新しい保護部材を端部からアーム部に挿入させるだけでよく、保護部材の交換が容易である。この保護部材の摩擦抵抗を大きくすれば、梯子の横滑りをも防止させることができる。
【００１４】
本発明の梯子は、請求項１〜５の何れか一項に記載された梯子転倒防止具を備えたことを特徴とする。
【００１５】
本発明の保護部材は、請求項１〜４の何れか一項に記載された梯子転倒防止具のアーム部に対して、アーム部の端部からアーム部の長手方向に挿入可能であることを特徴とする。
【００１６】
また、保護部材は、弾性材料からなり、チューブ状に形成されていると好適である。
【発明の効果】
【００１７】
本発明に係わる梯子転倒防止具は、梯子から外れ難く、しかも装脱着が容易である。
【図面の簡単な説明】
【００１８】
【図１】本発明に係る梯子転倒防止具の一実施形態を示す斜視図である。
【図２】梯子転倒防止具が装着された梯子の一実施形態を示す斜視図である。
【図３】梯子転倒防止具の正面図である。
【図４】梯子転倒防止具の背面図である。
【図５】梯子転倒防止具の平面図である。
【図６】梯子転倒防止具の底面図である。
【図７】梯子転倒防止具の右側面図である。
【図８】梯子転倒防止具の左側面図である。
【図９】図８のＡ−Ａ線に沿う断面図である。
【図１０】図９の要部拡大断面図である。
【図１１】本発明に係る梯子転倒防止具の他の実施形態を示す斜視図である。
【発明を実施するための形態】
【００１９】
以下、図面を参照しつつ本発明に係る梯子転倒防止具、この梯子転倒防止具を備えた梯子、この梯子転倒防止具に適用される保護部材の好適な実施形態について詳細に説明する。
【００２０】
図１〜図１０に示すように、梯子転倒防止具１は、主に低層住宅建物等の構築物の施工作業において、構築物に立掛けて使用される梯子２に対して着脱可能なアタッチメントとして、２本一組で利用される。例えば、梯子転倒防止具１は、建物のパラペット、ベランダの手摺りＡ等に引っ掛けて、梯子２が作業中に外れたり、横滑りしたり、倒れたしすることを防止することができる。梯子２は、水平面に対して略７５度での立て掛けが好ましく、作業性の上でも、この角度を維持することが好ましい。
【００２１】
梯子２の踏桟３に装着可能なこの梯子転倒防止金具１は、構造物の水平部(ベランダの手摺りＡ)に引っ掛け可能な湾曲部４ｃを含む例えば逆Ｕ字状又は逆Ｊ字状のアーム部４と、アーム部４の一端に固定されると共に、梯子２の踏桟３を包囲する閉鎖形状と踏桟３の挿入を可能にする開放形状とになるように開閉自在なクランプ部６と、を備えている。
【００２２】
腕木として利用されるアーム部４は、鋼材、アルミ材、樹脂等によって成形され、梯子２に外力（建物の外側からの引張力）が働いても変形して外れない程度の強度を有している。また、アーム部４は、引っ掛ける相手であるベランダ等の手摺りやパラペット笠木などの様々な断面形状（円形、楕円形、矩形等）に適応すべく、また、手摺りＡに対してアーム部４は遊嵌（遊びがある状態で嵌められていること）した状態で引っ掛けられている。手摺りＡに対して遊びがある状態でアーム部４の引っ掛け状態を維持するために、アーム部４は、一般的なベランダ等の手摺りやパラペット笠木の幅に対して十分に大きな引っ掛け幅を確保するための一定の曲率半径で円弧状に形成された略半円の湾曲部４ｃと、アーム部４のクランプ部６が取り付く側である基端部４ｂと、これに対向して延びた延長部４ｄと、から構成されている。基端部４ｂおよび延長部４ｄは、半円の湾曲部４ｃから接線方向に延長して形成されている。また、アーム部４は、所定の厚さを有する長尺の平板（フラットバー）を加工して製作され、互いに平行に延在する長辺（平板の幅方向の両端面）４ａ、４ａが存在し、それぞれの長辺４ａには、長手方向に沿って延在する折り返し片を補強の為に設けてもよい。
【００２３】
このアーム部４の曲率半径は、ベランダの手摺りＡなどの引っ掛ける相手に応じて適宜変更できることは言うまでもなく、５０ｍｍ〜１５０ｍｍ程度が好適である。したがって、手摺りＡなどの引っ掛ける相手が通常４０ｍｍ〜６０ｍｍ程度の幅を有するのに対してアーム部４の引っ掛け幅は１００ｍｍ〜３００ｍｍ程度となる。また、ベランダ手摺りやパラペット笠木に引っ掛けたアーム４が変形して外れることがないようにある程度の強度を確保するため、鋼材からなるアーム部４の厚みは、３ｍｍ〜８ｍｍが好適である。そして、梯子２の足元がズレたときでも、またこれに伴って、梯子２の踏桟３に取り付けたクランプ部６が緩んで手摺りＡに対するアーム部４の引っ掛け位置がズレたとき（引っ掛け姿勢が変化したとき）でも、手摺りＡに対してアーム部４が遊嵌した状態で引っ掛かり状態を維持する。ある程度の余裕をもって、手摺りＡに対して遊びがある状態でアーム部４の引っ掛け状態を維持するためには、アーム部４の曲率半径を大きな寸法にし、アーム４の延長部４ｄの長さを長くして引っ掛け深さを確保し、アーム４にある程度余裕をもたせておくことで、クランプ部６に大きな負荷をかけることなく、梯子２の立掛け状態を維持させることができる。
【００２４】
アーム部４が、金属などの硬い材質で成形されている場合には、手摺りＡにキズを付ける虞がある。そこで、アーム部４を被覆するための着脱自在な保護部材７がアーム部４に装着されている。この保護部材７は、弾性や柔軟性をもつ材料(例えば、ネオプレーンゴム)によってチューブ状に形成され、アーム部４の遊端からアーム部４の長手方向に挿入することができる。この保護部材７は、長尺状のチューブ体を所定の長さに切断されたものである。
【００２５】
保護部材７の採用により、ベランダの手摺りＡのキズ付けを防止することができ、しかも、保護部材７はチューブ形状をなしているので、保護部材７が劣化した場合でも、保護部材７をアーム部４から引き抜いた後、新しい保護部材７の端部開口７ａにアーム部４を端部から挿入させるだけでよく、保護部材７の交換が容易になっている。そして、この保護部材７の摩擦抵抗を大きくすれば、梯子２の横滑りをも防止することができる。
【００２６】
クランプ部６は、一端がアーム部４の基端部４ｂに固定された半円弧状の第１のクランプ片８と、第１のクランプ片８の他端で、ヒンジ部１０によって一端が連結された半円弧状の第２のクランプ片９と、第２のクランプ片９の他端とアーム部４とを着脱自在に連結する締結手段１１と、を有している。そして、同一半径の第１及び第２のクランプ片８，９は、鋼材、アルミ材、樹脂等によって成形され、ヒンジ部１０は、ピン１０ａによる蝶番構造をなしている。
【００２７】
さらに、第１のクランプ片８の一端に設けられた平板状の第１の連結片８ａは、第１のクランプ片８の端部で径方向に外側へ延びるように形成され、アーム部４のストレートな基端部４ｂに溶接により固定される。第２のクランプ片９の他端に設けられた平板状の第２の連結片９ａは、第２のクランプ片９の端部で径方向に外側へ延びるように形成され、アーム部４の基端部４ｂに当接させられる。なお、第１の連結片８ａは、アーム部４に対して溶接と一緒に又は溶接を施すことなく、ボルトによって締め付け固定されていてもよい。
【００２８】
締結手段１１は、第２のクランプ片９の第２の連結片９ａに設けられた挿通孔９ｂを貫通するボルト部１２と、ボルト部１２に螺着される蝶ナット部１３とからなる。ボルト部１２は、第１の連結片８ａやアーム部４の基端部４ｂをも貫通し、頭部１２ａを第１の連結片８ａに当接させている。そして、蝶ナット部１３と第２のクランプ片９との間には、スプリングワッシャ１４が介装され、蝶ナット部１３の緩み止めに寄与している。
【００２９】
なお、頭部１２ａを第１の連結片８ａに溶接することで、ボルト部１２の抜け止めを達成させることができる。また、ボルト部１２は、頭部１２ａが無くても溶接によりアーム部４の基端部４ｂに固定されていてもよい。
【００３０】
蝶ナット部１３は、指により簡単にボルト部１２から外すことができるので、作業性が良く、しかも、蝶ナット部１３をボルト部１２から外すだけで、第１のクランプ片８と第２のクランプ片９とを蝶の羽根のように開くことができる(図１参照)。さらに、蝶ナット部１３を締めたり緩めたりすることで、梯子転倒防止具１のアーム部４の角度調整回動を現場の状況に応じて容易に行うことができる。
【００３１】
第１のクランプ片８と第２のクランプ片９との内面側には、ゴム板からなる滑り止め部１６が貼り付けられている。踏桟３の断面形状は、例えば逆三角形、四角形のものが多く、しかも、第１のクランプ片８と第２のクランプ片９とで円筒形状になっているので、踏桟３の角部を、滑り止め部１６に略線接触状態で強く圧着させることができる。このように、第１のクランプ片８と第２のクランプ片９とによる円筒形状は、様々な断面形状の踏桟３に容易に対応させることができる。そして、第１のクランプ片８と第２のクランプ片９とで囲まれた閉鎖空間内に挿通された踏桟３に滑り止め部１６が圧着されると、アーム部４が踏桟３を中心として回動し難くなり、梯子２に対する梯子転倒防止具１のガタ付き防止が確実に防止される。
【００３２】
この梯子転倒防止具１においては、梯子２の踏桟３に装着された状態でクランプ部６が第１のクランプ片８と第２のクランプ片９との協働により、閉鎖形状になっているので、梯子２の踏桟３からクランプ部６が外れ難く、これによって、梯子２の転倒や横滑りを確実に防止することができる。しかも、第１のクランプ片８と第２のクランプ片９との協働により、クランプ部６が閉鎖形状ゆえに、踏桟３を中心としたアーム部４の回動が許容され、これにより、梯子２の足元が動いて、アーム部４が回動してしまった場合でも、手摺りＡから梯子転倒防止具１が外れ難い。
【００３３】
また、この梯子転倒防止具１は、梯子２の補助具として機能するので、作業者の昇降荷重などの大きな荷重を負担することはない。更に、蝶ナット部１３を外すことで、第２のクランプ片９が開いてクランプ部６が開放状態になり、クランプ部６は、１本の踏桟３に装着されるだけなので、現場での装脱着の作業効率が良い。
【００３４】
梯子２が立て掛けられる例えばベランダの手摺りＡは、ベランダから出ていたり、引っ込んでいたりして、現場において様々である。そこで、クランプ部６の第１のクランプ片８と第２のクランプ片９は、１本の踏桟３に装着されているだけなので、アーム部４は踏桟３を中心として回動させることができる。例えば、梯子転倒防止具１の使用例として、先ず、蝶ナット部１３を緩めて、踏桟３に対して第１のクランプ片８と第２のクランプ片９を緩く圧着させ、アーム部４を手摺りＡに引っ掛けた状態で、梯子転倒防止具１のアーム部４の角度調整回動を行う。その後、梯子２が手摺りＡにしっかりと立て掛けられていることを確認し、蝶ナット部１３を締め込んで、踏桟３に対して第１のクランプ片８と第２のクランプ片９をしっかり圧着させ、梯子転倒防止具１を梯子２にしっかりと固定させる。
【００３５】
また、ヒンジ部１０を介して第１のクランプ片８と第２のクランプ片９とが連結されているので、第１のクランプ片８と第２のクランプ片９とを蝶の羽根のように開くことができ、蝶ナット部１３を外すことにより、踏桟３をクランプ部６内に容易に挿入させることができ、現場における梯子転倒防止具１の装脱着の作業効率を良好にしている。さらに、第１のクランプ片８と第２のクランプ片９とで円筒形を形成するので、１本の踏桟３を中心とした梯子転倒防止具１のアーム部４の角度調整回動を容易に行うことができる。
【００３６】
本発明に係る梯子転倒防止具の他の実施形態について説明する。
【００３７】
図１１に示すように、他の梯子転倒防止具２０は、２本一組で利用されると共に、ベランダの手摺りＡに引っ掛け可能なＪ字状のアーム部２１を有している。アーム部２１の基端には、梯子２２の踏桟２３への固定を可能にするクランプ部２４が取り付けられている。このクランプ部２４は、踏桟２３に引っ掛け可能なＵ字状のクランプ片２５と、クランプ片２５の両端に形成された雌ネジ部に螺着されるナット２６とからなる。
【００３８】
クランプ片２５の両端は、アーム部２１を貫通し、アーム部２１から突出するクランプ片２５の雌ネジ部にナット２６が螺着され、ナット２６をクランプ片２５から外すことによって、クランプ片２５をアーム部２１から取り外すことができる。そして、クランプ片２５は、踏桟２３に対して自由に回動し、梯子２２のズレに応じてアーム部２１を自由に回動させることができる。
【００３９】
本発明は、前述した実施形態に限定されないことは言うまでもない。例えば、保護部材７は、アム部４の内周面に接着剤で固定されていてもよい。蝶ナット部１３に代えて六角ナットでもよい。
【符号の説明】
【００４０】
１，２０…梯子転倒防止具、２，２２…梯子、３，２３…踏桟、４，２１…アーム部、６，２４…クランプ部、７…保護部材、８，９，２５…クランプ片、１０…ヒンジ部、１１…締結手段、１２…ボルト部、１３…蝶ナット部、１６…滑り止め部。
【図１】
2011032642.tif 000003
【図２】
2011032642.tif 000004
【図３】
2011032642.tif 000005
【図４】
2011032642.tif 000006
【図５】
2011032642.tif 000007
【図６】
2011032642.tif 000008
【図７】
2011032642.tif 000009
【図８】
2011032642.tif 000010
【図９】
2011032642.tif 000011
【図１０】
2011032642.tif 000012
【図１１】
2011032642.tif 000013